(57)【特許請求の範囲】
【請求項１】
第１フロントケースと第１リアケースとを外周囲にパッキンを介挿して一体化し、内部に第１電子部品を収納するように形成した第１筐体と、
第２フロントケースと第２リアケースとを外周囲にパッキンを介挿して一体化し、内部に第２電子部品を収納するように形成した第２筐体と、
該第１筐体と第２筐体とを互いに折り畳み自在に連結するヒンジ機構と、
該ヒンジ機構を介して配され該第１電子部品と該第２電子部品とを電気的に接続する偏平状配線体と、
前記第１筐体に設けられた前記偏平状配線体の挿入部に配設され、前記偏平状配線体を液密に支持する第１シール部材と、
前記第２筐体に設けられた前記偏平状配線体の挿入部に配設され、前記偏平状配線体を液密に支持する第２シール部材と、を備え、
前記第１シール部材と第２シール部材の少なくとも一方は該当する前記第１筐体と第２筐体の少なくとも一方の前記パッキンの一部から形成されていると共に、該パッキンの一部がインサート成型により前記偏平状配線体と一体に形成されており、前記パッキンの一部で形成された前記シール部材に対応する前記フロントケースには、該シール部材近傍の前記偏平状配線体を係止する係止部が設けられており、更に、前記パッキンの一部で形成された前記シール部材に隣接する偏平状配線体に突出片を形成し、前記フロントケースには該突出片を係合する係合部を形成したことを特徴とする携帯用電子機器。
【請求項２】
前記係止部は前記偏平状配線体を前記フロントケースに係止する係止用板と、該係止用板を前記フロントケースに固定するネジと、から構成されていることを特徴とする請求項１に記載の携帯用電子機器。
【発明の詳細な説明】
【技術分野】
【０００１】
本発明は携帯用電子機器に関し、特に高い防水機能を有するとともに、筐体の薄型化を実現した携帯用電子機器に関する。
【背景技術】
【０００２】
携帯電話、ノート型パーソナルコンピュータあるいは電子辞書等の携帯用電子機器では、ヒンジ部を介して互いに折り畳み自在に連結された一対の筐体から形成されているものが多く存在する。これらの第１、第２筐体には夫々電子部品が収納され、その間がフレキシブルプリント配線基板（ＦＰＣ；Flexible Printed Circuit）等により電気的に接続されている。
【０００３】
このような携帯用電子機器は、ユーザの不注意で水没させてしまった場合等には筐体内部に水が浸入してしまい、故障することが度々生じる。そのため、水没した場合等にも電子部品内部の電気回路等を保護する必要がある。そこで、携帯用電子機器に防水構造を備えるものが種々考えられている（例えば下記特許文献１参照）。
【０００４】
下記特許文献１に開示された携帯電子機器は、平坦な箱状に形成された第１筐体と第２筐体とがヒンジ機構を介して互いに折り畳み自在に連結されている。この第１筐体と第２筐体とは内部に気密状態で電子部品を収納している。また、電子部品間はフレキシブル配線基板によって電気的に接続されている。そして、第１筐体のケース部とヒンジ機構のヒンジ部との間、及び第２筐体のケース部とヒンジ機構のヒンジ部との間は夫々仕切り壁によって仕切られており、これら仕切り壁に孔部が形成されており、この孔部に圧入されるシール部材が弾性材によって形成されている。なお、このシール部材にフレキシブル配線基板がインサート成型によって一体成形されている点についても開示されている。
【０００５】
下記特許文献１によれば、孔部に圧入して挿通されたシール部材によって第１筐体と第２筐体内の気密状態が維持され、第１筐体と第２筐体内の電気部品がフレキシブル配線基板によって接続されている。
【特許文献１】特開２００５−３４８３４１号公報（段落［００１６］〜段落［００２６］、図４）
【発明の開示】
【発明が解決しようとする課題】
【０００６】
上記特許文献１に開示された携帯用電子機器によれば、水分がヒンジ部から筐体内部へ侵入することをほぼなくすることができる。しかしながら、この携帯用電子機器のように防水構造として仕切り壁に孔部を設け、この孔部にシール部材を配設する構造を採用すると、この孔部はフレキシブル配線基板の肉厚よりも大きな孔径とする必要があるため、筐体全体の肉厚も厚くせざるを得ず、以って携帯用電子機器の薄型化を実現することが困難となるという問題点を備えている。
【０００７】
ところで、上記特許文献１に開示された携帯用電子機器においては明示されていないものの、従来の防水機能を備える携帯用電子機器は、筐体のヒンジ部を除く外周囲にパッキンが取り付けられており、筐体の側面等からの水の浸入を阻止する構造を採用している。
【０００８】
本発明者らは上記問題点に鑑み、高い防水機能を維持しつつ携帯用電子機器全体の薄型化をも実現可能な構成を種々検討した結果、防水機能を備える携帯用電子機器が通常備えている上述したパッキンに着目し、このパッキンによる防水構造と筐体に設けられたＦＰＣ挿入部における防水構造を一体化させることで、筐体の肉厚を薄くすることが可能であることを見出し、本発明に至ったものである。
【０００９】
すなわち、本発明の目的は、高い防水機能を有するとともに、筐体の薄型化をも実現した携帯用電子機器を提供することである。
【課題を解決するための手段】
【００１０】
前記課題を解決するために、本願の請求項１に係る発明は、第１フロントケースと第１リアケースとを外周囲にパッキンを介挿して一体化し、内部に第１電子部品を収納するように形成した第１筐体と、第２フロントケースと第２リアケースとを外周囲にパッキンを介挿して一体化し、内部に第２電子部品を収納するように形成した第２筐体と、該第１筐体と第２筐体とを互いに折り畳み自在に連結するヒンジ機構と、該ヒンジ機構を介して配され該第１電子部品と該第２電子部品とを電気的に接続する偏平状配線体と、前記第１筐体に設けられた前記偏平状配線体の挿入部に配設され、前記偏平状配線体を液密に支持する第１シール部材と、前記第２筐体に設けられた前記偏平状配線体の挿入部に配設され、前記偏平状配線体を液密に支持する第２シール部材と、を備え、前記第１シール部材と第２シール部材の少なくとも一方は該当する前記第１筐体と第２筐体の少なくとも一方の前記パッキンの一部から形成されていると共に、該パッキンの一部がインサート成型により前記偏平状配線体と一体に形成されており、前記パッキンの一部で形成された前記シール部材に対応する前記フロントケースには、該シール部材近傍の前記偏平状配線体を係止する係止部が設けられており、更に、前記パッキンの一部で形成された前記シール部材に隣接する偏平状配線体に突出片を形成し、前記フロントケースには該突出片を係合する係合部を形成したことを特徴とする。
【００１２】
また、本願の請求項２に係る発明は、請求項１に記載の携帯用電子機器において、前記係止部は前記偏平状配線体を前記フロントケースに係止する係止用板と、該係止用板を前記フロントケースに固定するネジと、から構成されていることを特徴とする。
【発明の効果】
【００１４】
本発明は上記構成を備えることにより、以下に示すような優れた効果を奏する。すなわち、請求項１の発明によれば、第１シール部材と第２シール部材の少なくとも一方が該当する筐体のパッキンにより形成されているので、別途シール部材を設ける必要がなくなるためこのシール部材を設けるためのスペースも不要となり、筐体の肉厚を薄くすることができる。また、シール部材とパッキンのケースへの取付けは同時に行うので、筐体の組み立て作業が素早く簡単にできる。
【００１５】
また、請求項１の発明によれば、第１シール部材と第２シール部材の少なくとも一方をフロントケースに取付ける際に、シール部材は係止部によりフロントケースに係止される。同時に、シール部材近辺のパッキンもフロントケースに係止される。そのため、シール部材とパッキンの筐体への組み込み作業が容易に素早くできる。また、係止部によって偏平状配線体を係止するので、この係止部により偏平状配線体の筐体の電子機器への接続状態が安定し、接続不良等を抑制することが可能となる。
【００１６】
また、請求項２の発明によれば、簡単な構成で上述の効果を奏する携帯用電子機器を提供することが可能となる。
【００１７】
また、請求項１の発明によれば、突出片を係合部に係合させることにより、偏平状配線体はフロントケースの所定の個所に位置決めされるので、シール部材とパッキンの位置決め作業が簡単かつ確実にできる。
【発明を実施するための最良の形態】
【００１８】
以下、図面を参照して本発明の最良の実施形態を説明する。但し、以下に示す実施形態は、本発明の技術思想を具体化するための携帯用電子機器の一例として折畳み式の携帯電話機を例示して説明するものであって、本発明をこの携帯電話機に特定することを意図するものではなく、特許請求の範囲に含まれるその他の実施形態のものも等しく適応し得るものである。
【実施例】
【００１９】
図１は本発明の実施形態に係る携帯電話機を開状態とした正面図、図２は図１のII−II線で切断した断面図、図３は図２のIII部分を拡大して示す要部拡大図、図４は本発明の実施形態に係る携帯電話機における第１筐体内部の要部を示す平面図、図５は図４に示す構成のうち偏平状配線体及び第１パッキンを取り除いた状態を示す平面図、図６は図４に示す構成のうち偏平状配線体及び第１パッキンを示す平面図である。
【００２０】
本実施例における携帯電話機１は、図１に示すように、第１筐体１０と、第２筐体２０と、第１筐体１０と第２筐体２０とを互いに折り畳み自在に連結するヒンジ機構３０とから構成されている。第１筐体１０の展開面には各種表示がなされる液晶表示パネル等からなる表示部４０が配置され、第２筐体２０の展開面には携帯電話機１の備える種々の機能の操作を行う操作キー５０が配置されている。
【００２１】
第１筐体１０は、図２で示すように、表示部４０を外部に露出するための開口を有し第１筐体１０の展開面側を覆う第１フロントケース１１と、第１筐体１０の裏面側を覆う第１リアケース１２と、によってその外周囲が覆われている。そして両ケース１１、１２によって覆われた内部には第１電子部品としての第１プリント基板１３が配置されている。また、第１フロントケース１１と第１リアケース１２の互いに接合する接合面の外周囲には、弾性部材からなる第１パッキン１４が第１筐体１０を液密な状態とするように配設されている。
【００２２】
第１パッキン１４は、図３に示すように、第１フロントケース１１の外周囲に設けられた第１収容溝１５内に配設されており、第１リアケース１２における第１収容溝１５に対向する位置には、この第１収容溝１５内に挿入される第１凸部１６が同じく外周囲に沿って設けられている。そして、第１フロントケース１１及び第１リアケース１２を第１フロントケース１１に設けられた第１収容溝１５内に第１パッキン１４を収容した状態で組み立てることにより、第１パッキン１４は第１リアケース１２の第１凸部１６によって押圧されることとなり、第１収容溝１５と第１凸部１６との間に弾性変形した状態で固定される。したがって、この第１パッキン１４により、両ケース１１、１２の接合面部分からの水の浸入を阻止することができる。なお、第１パッキン１４が収容される第１収容溝１５は、第１筐体１０の後述する第１ヒンジ部３１が設けられた端部においてはこの第１ヒンジ部３１に沿って近接するように設けられている（図４参照）。
【００２３】
第２筐体２０は、図２で示すように、各種の操作キー５０を外部に露出するための開口を有し、第２筐体２０の展開面側を覆う第２フロントケース２１とを有し、第２筐体の裏面側を覆う第２リアケース２２と、によってその外周囲が覆われている。そして、この両ケース２１、２２に覆われた内部には第２電子部品である第２プリント基板２３が配置されている。また、第２フロントケース２１と第２リアケース２２の互いに接合する接合面の外周囲には弾性部材からなる第２パッキン（図示省略）が第２筐体２０を液密な状態とするように配設されている。なお、第２パッキンの配設状態については第１筐体１０の第１パッキン１４と同様であるのでその説明は省略する。
【００２４】
また、第２フロントケース２１の背面には電池２４が収納されており、この電池２４は第３パッキン２５を有する蓋２６によって覆われて収納されている。また、第２筐体２０の端部にはヒンジ機構３０の一部を構成する第２ヒンジ部３２が設けられている。
【００２５】
携帯電話機１は、これら第１、第２筐体１０、２０それぞれの内部に設けられた第１、第２プリント基板１３、２３を電気的に接続するために、さらに偏平状配線体としてのＦＰＣ７０を備えている。このＦＰＣ７０は、ヒンジ機構３０の内部に設けられており、その一端７１が第１プリント基板１３に第１コネクタ１８によって接続され（図４及び図５参照）、他端７２が第２プリント基板２３に第２コネクタ２８によって接続され（図２参照）、中央部分がヒンジ機構３０の軸心３３に巻回されるようにループ状に配設される。また、このＦＰＣ７０にはその表面に設けられた複数の配線を水滴の接触等に起因する短絡等から保護するために、その外部全面が防水性の樹脂材で覆われていると好ましい。
【００２６】
次に、ＦＰＣ７０が第１、第２筐体１０、２０に取り付けられている状態について説明する。
【００２７】
先ず、第２筐体２０にＦＰＣ７０を取り付ける状態について説明すると、図２に示すように、第２筐体２０の第２ヒンジ部３２が設けられた端面の一部には、ＦＰＣ７０挿入用の挿通孔からなる第２挿入部２７が設けられている。この第２挿入部２７の大きさはＦＰＣ７０の肉厚に対して十分に大きく、この第２挿入部２７には所定大きさの樹脂材等からなる第２シール部材８０が配設される。第２シール部材８０はその中心部にＦＰＣ７０が液密な状態で保持できる貫通孔８１が設けられており、ＦＰＣ７０の第２筐体２０への取り付けの際には、第２シール部材８０の貫通孔８１内にＦＰＣ７０を挿入し、この貫通孔８１によってＦＰＣ７０の第２筐体２０側の他端７２に近接する位置が液密に保持される。そして、ＦＰＣ７０を保持した状態の第２シール部材８０を第２挿入部２７内に配設して同じく液密に固定し、同時にＦＰＣ７０の他端７２が第２プリント基板２３に設けられた第２コネクタ２８に電気的に接続される。
【００２８】
第２筐体２０には、上述のような構成でＦＰＣ７０が取り付けられるので、この第２挿入部２７付近は液密に維持されるようになり、第２筐体２０は十分な防水機能を維持できるようになる。
【００２９】
次に、第１筐体１０にＦＰＣ７０を取り付ける状態について主に図４〜図６を参照して説明する。なお、この取り付け状態を説明する前に、第１筐体１０及びＦＰＣ７０の構造について更に詳細に説明する。
【００３０】
第１筐体１０の第１フロントケース１１の第１ヒンジ部３１に近接する端面の一部には、ＦＰＣ７０が挿入される第１挿入部１７が設けられている。この第１挿入部１７は第１収容溝１５に連通しており、図５からも明らかなように、実質的に第１収容溝１５を拡幅するようにして設けられる。したがって、この第１挿入部１７の大きさ、特にその高さはＦＰＣ７０の肉厚よりも僅かに高い程度であり、ＦＰＣ７０の挿入方向からみて偏平状に形成されている。
【００３１】
また、第１挿入部１７からＦＰＣ７０の挿入方向の反対方向に所定距離離れた位置には、後述するＦＰＣ７０の突出片７３が係止される係合部１９が設けられている。この係合部１９はＦＰＣ７０の幅方向に向かって設けられた切り欠きから形成されており、ＦＰＣ７０を第１筐体１０に取り付けた状態でＦＰＣ７０の位置決めを行うものである。
【００３２】
更にまた、第１挿入部１７からＦＰＣ７０の挿入方向に所定距離離れた位置には、ＦＰＣ７０を第１フロントケース１１に係止するための係止部９０が設けられている。この係止部９０は、ＦＰＣ７０の一端７１近傍を第１フロントケース１１側に押圧するように係止する係止用板９１と、この係止用板９１の一端部を固定するネジ９２と、から構成されており、第１フロントケース１１とは別部材で設けられている。
【００３３】
ＦＰＣ７０は、図６に示すように、第１フロントケース１１への取付を行う前に、第１パッキン１４に固定される。詳しく述べると、第１パッキン１４の第１挿入部１７上に位置する部分に、ＦＰＣ７０の第１挿入部１７上に位置する部分をインサート成型により一体に固定する。これにより、第１パッキン１４の第１挿入部１７上に位置する部分がＦＰＣ７０を液密な状態で保持する第１シール部材６０として機能することになる。
【００３４】
また、このＦＰＣ７０の第１パッキン１４が固定された位置から所定距離離れた位置には、係合部１９に係止される突出片７３がＦＰＣ７０の幅方向に所定長さ延設されるように形成されている。
【００３５】
上述の構成を備える第１筐体１０とＦＰＣ７０との取付は、先ず第１フロントケース１１の第１収容溝１５に第１パッキン１４を収容すると共に、第１パッキン１４の第１シール部材６０となる部分が第１挿入部１７上に位置するようにＦＰＣ７０を第１フロントケース１１に取り付け、この際にＦＰＣ７０の突出片７３を係合部１９に係止させることにより、ＦＰＣ７０の固定を行う。そして、ＦＰＣ７０の一端７１を第１プリント基板１３上に設けられた第１コネクタ１８に電気的に接続し、次いで係止部９０を第１フロントケース１１に固定することによりＦＰＣ７０を第１フロントケース１１と係止用板９１との間で挟持するように係止し（図４参照）、さらに第１リアケース１２を第１フロントケース１１に接合させることにより、ＦＰＣ７０の第１筐体１０への取付が完了する。
【００３６】
このような取付がなされることにより、第１挿入部１７は偏平状に形成されているため、この第１挿入部１７によって第１筐体１０の肉厚が制約されることがほとんどなく、以って第１筐体１０の薄型化が実現可能となる。
【００３７】
なお、本発明の実施例では、第１シール部材６０は第１筐体１０側にのみ設けたが第２筐体２０の第２シール部材８０も同様の構成で設けてもよい。
【図面の簡単な説明】
【００３８】
【図１】図１は本発明の実施形態に係る携帯電話機を開状態とした正面図である。
【図２】図２は図１のII−II線で切断した断面図である。
【図３】図３は図２のIII部分を拡大して示す要部拡大図である。
【図４】図４は本発明の実施形態に係る携帯電話機における第１筐体内部の要部を示す平面図である。
【図５】図５は図４に示す構成のうち偏平状配線体及び第１パッキンを取り除いた状態を示す平面図である。
【図６】図６は図４に示す構成のうち偏平状配線体及び第１パッキンを示す平面図である。
【符号の説明】
【００３９】
１        携帯電話機
１０      第１筐体
１１      第１フロントケース
１２      第１リアケース
１３      第１プリント基板
１４      第１パッキン
１５      第１収容溝
１６      第１凸部
１７      第１挿入部
１９      係合部
２０      第２筐体
２１      第２フロントケース
２２      第２リアケース
２３      第２プリント基板
２７      第２挿入部
３０      ヒンジ機構
３１      第１ヒンジ部
３２      第２ヒンジ部
４０      表示部
５０      操作キー
６０      第１シール部材
７０      ＦＰＣ（偏平状配線体）
７３      突出片
８０      第２シール部材
８１      貫通孔
９０      係止部
９１      係止用板
９２      ネジ
【図１】
0004916388.tif 000002
【図２】
0004916388.tif 000003
【図３】
0004916388.tif 000004
【図４】
0004916388.tif 000005
【図５】
0004916388.tif 000006
【図６】
0004916388.tif 000007